(57)【要約】【課題】揺動部側ヒンジ部に電気器具の端子を備え、この端子に接続される導電線と揺動軸との干渉を良好に回避することができる加熱調理具を得る。【解決手段】本体が固定される本体側ヒンジ部と、揺動部が固定される揺動部側ヒンジ部とが揺動軸７を介して相対揺動可能に構成され、揺動部側ヒンジ部７２内に、電気器具の端子Ｃと、当該端子Ｃに接続される導電線Ｌを備えたヒンジ構造であって、揺動部側ヒンジ部を、揺動軸７を軸支する第一端面カバーＣ１を備えた第一部材７２ａと、第二端面カバーＣ２を備え、第二端面カバーＣ２の位置が、第一端面カバーＣ１の位置に対して、揺動軸軸方向で中央寄りに設定された第二部材７２ｂとで構成し、第二端面カバーＣ２間に形成される空間を端子収納空間Ａｃとし、第一端面カバーＣ１と第二端面カバーＣ２との間に形成される空間を導電線挿通空間Ａ１とする。【選択図】図１１
2008284104.tif 000002
【特許請求の範囲】
【請求項１】
本体と前記本体に対して揺動軸を介して揺動する揺動部との間に設けられ、前記本体が固定される本体側ヒンジ部と、前記揺動部が固定される揺動部側ヒンジ部とが前記揺動軸を介して相対揺動可能に構成され、前記揺動部側ヒンジ部内に、電気器具の端子を収納して備えるとともに、前記端子に接続される導電線を備えたヒンジ構造であって、
前記揺動部側ヒンジ部を、
揺動軸軸方向の両端部に、前記揺動軸を軸支する第一端面カバーを備えた第一部材と、
揺動軸軸方向の両端部に第二端面カバーを備え、前記第二端面カバーの位置が、前記第一端面カバーの位置に対して、揺動軸軸方向で中央寄りに設定された第二部材とで構成するとともに、
前記本体側ヒンジ部を、
揺動軸軸方向の両端部に、前記揺動軸が挿通する本体端面カバーを備え、前記本体端面カバーの位置が前記揺動軸軸方向で第一端面カバーと第二端面カバーとの間とされる本体側上ヒンジ部を備えて構成し、
揺動軸軸方向で、前記第二端面カバー間に形成される空間を前記端子が収納される収納空間とし、前記第一端面カバーと前記第二端面カバーとの間に形成される一対の空間で、前記揺動軸より端子側の空間を前記導電線が通る導電線挿通空間として構成したヒンジ構造。
【請求項２】
前記第二端面カバーを前記揺動軸が挿通する請求項１記載のヒンジ構造。
【請求項３】
前記第一部材が、前記揺動部に固定される第一固定部と、前記第一固定部の揺動軸軸方向の両端部から揺動軸方向に伸びる前記第一端面カバーとを備えて構成され、
前記第二部材が、前記揺動部に固定される第二固定部と前記第二端面カバーとを備えて構成され、
前記第二端面カバーの夫々に関し、第二固定部側部位と揺動軸側部位との間に、前記導電線が通る導電線挿通部を設けた請求項１又は２記載のヒンジ構造。
【請求項４】
前記第二端面カバーの夫々を、前記第二固定部側に位置する固定部側端面カバーと、前記揺動軸が挿通される揺動軸側端面カバーとを備えて構成し、前記導電線挿通部を前記固定部側端面カバーと揺動軸側端面カバーとの間に設けた請求項３記載のヒンジ構造。
【請求項５】
前記第二固定部に接続して前記揺動軸側に伸びる第二接続部を設け、前記第二接続部の揺動軸軸方向の両端部から前記固定部側端面カバー及び揺動軸側端面カバーを設けた請求項４記載のヒンジ構造。
【請求項６】
前記本体端面カバーに前記導電線を前記揺動軸の挿通位置より端子側の位置で位置保持する位置保持手段を設け、
前記位置保持手段が、前記導電線を、揺動軸軸方向で前記第一端面カバーと前記第二端面カバーとの間に位置保持する請求項１記載のヒンジ構造。
【請求項７】
請求項１〜６の何れか一項に記載のヒンジ構造を備えた加熱調理器。
【請求項８】
前記本体側ヒンジ部に本体側ヒータを備え、前記揺動部側ヒンジ部に揺動側ヒータを備えた両面加熱式の請求項７記載の加熱調理器。
【発明の詳細な説明】
【技術分野】
【０００１】
本体と前記本体に対して揺動軸を介して揺動する揺動部との間に設けられ、前記本体が固定される本体側ヒンジ部と、前記揺動部が固定される揺動部側ヒンジ部とが前記揺動軸を介して相対揺動可能に構成され、前記揺動部側ヒンジ部内に、電気器具の端子を収納して備えるとともに、前記端子に接続される導電線を備えたヒンジ構造に関するとともに、このようなヒンジ構造を備えた加熱調理器に関する。
【背景技術】
【０００２】
上記のような揺動部側に電気器具を備え、この電気器具の端子を揺動部側ヒンジ部に収納するものとしては、揺動部側ヒンジ部に上ヒータを備えたフィッシュロースター、蓋にヒータを備えた炊飯器等を挙げることができる。
特許文献１には、揺動部側ヒンジ部に上ヒータを備えたフィッシュロースターが開示されている。この文献に開示の技術は、箱状の本体容器と、該本体容器内に着脱自在に収容される調理物受け部材と、本体容器に対して開閉自在に取り付けられた蓋体と、少なくともヒータを備えた加熱調理器において、ヒータを着脱自在で、且つ複数位置にセット可能とすることで、様々な姿勢での加熱調理を可能としている。
この文献に開示の技術では、当該明細書の図５、図６に示すように、ヒータの導電線３４は、接続ピン１７の位置からそのまま軸（本願における揺動軸に相当する）１０の下側へ導かれている。
【０００３】
【特許文献１】特開２００２−１１９４２９号公報
【発明の開示】
【発明が解決しようとする課題】
【０００４】
上記特許文献１に開示の技術では、導電線３４が接続ピン１７の位置から軸１０側へ延出されるとともに、下側へ導かれる構造が採用されるため、導電線３４と軸１０との干渉を避ける必要があり、両者間に十分な空間を取る必要がある。結果、ヒンジ全体の前後方向長さが比較的長くなるという問題があった。さらに、導電線３４がその延出方向に馴染んだ場合、不測に軸１０に接触する可能性が高くなるという問題がある。そこで、この問題を解消するために、導電線の位置から離間するように軸に段部を設け、導電線との干渉が起こり易い軸方向部位のみ導電線から遠ざける構造とすることも考えられるが、装置構成が複雑化するため好ましくない。
【０００５】
本発明の目的は、揺動部側ヒンジ部に電気器具の端子を備え、この端子に接続される導電線と揺動軸との干渉を良好に回避することができ、信頼性の高いヒンジ構造を得、同じく信頼性の高い加熱調理器を得ることにある。
【課題を解決するための手段】
【０００６】
上記目的を達成するための、本体と前記本体に対して揺動軸を介して揺動する揺動部との間に設けられ、前記本体が固定される本体側ヒンジ部と、前記揺動部が固定される揺動部側ヒンジ部とが前記揺動軸を介して相対揺動可能に構成され、前記揺動部側ヒンジ部内に、電気器具の端子を収納して備えるとともに、前記端子に接続される導電線を備えたヒンジ構造の第一の特徴構成は、
前記揺動部側ヒンジ部を、
揺動軸軸方向の両端部に、前記揺動軸を軸支する第一端面カバーを備えた第一部材と、
揺動軸軸方向の両端部に第二端面カバーを備え、前記第二端面カバーの位置が、前記第一端面カバーの位置に対して、揺動軸軸方向で中央寄りに設定された第二部材とで構成するとともに、
前記本体側ヒンジ部を、
揺動軸軸方向の両端部に、前記揺動軸が挿通する本体端面カバーを備え、前記本体端面カバーの位置が前記揺動軸軸方向で第一端面カバーと第二端面カバーとの間とされる本体側上ヒンジ部を備えて構成し、
揺動軸軸方向で、前記第二端面カバー間に形成される空間を前記端子が収納される収納空間とし、前記第一端面カバーと前記第二端面カバーとの間に形成される一対の空間で、前記揺動軸より端子側の空間を前記導電線が通る導電線挿通空間として構成したことにある。
【０００７】
この構成のヒンジ構造では、揺動部側ヒンジ部は第一部材と第二部材とを備えて構成され、第一部材及び第二部材は、共に、その端面カバーである、第一端面カバー及び第二端面カバーを備えて構成される。一方、本体側ヒンジ部は、揺動部側ヒンジ部の第一端面カバーと第二端面カバーとの間に配設される本体端面カバーを備えて構成される。
そして、少なくとも、第一端面カバー、本体端面カバーには、前記揺動軸が挿通される。
また、揺動軸軸方向で中央側に位置する第二端面カバー間に形成される収納空間に、電気器具の端子が配設される。一方、第二端面カバーにおける揺動軸軸方向外側には、本体端面カバー、第一端面カバーが配置され、第二端面カバーと第一端面カバーとの間に一対の空間が形成される。そして、本願では、この一対の空間で端子側の空間を導電線が通る導電線挿通空間とする。
【０００８】
即ち、中央側に位置する収納空間で電気器具の端子に接続される導電線は、当該収納空間から先ず導電線挿通空間に導かれ、その導電線挿通空間から所要部位に導かれる。従って、この構造では、導電線は、収納空間から揺動軸と概ね平行な方向である揺動軸軸方向に引き出すことが可能となり、その後所要の方向に導かれる。
結果、容易且つ確実に導電線と揺動軸との干渉を避けながら、前後方向の短いヒンジ構造を実現できる。
さらに、収納空間には、電気器具と導電線との接続部位である端子が配設されるが、この部位を加熱側から隔離するのに、揺動軸軸方向で端子と重なる領域に関しては、導電線が配設されないため、その隔離用の壁（例えば、図１７に示す例の場合は、第二接続部ＦＣ）を良好に配置できる。結果、端子との接続部位を確実に保護できる。
【０００９】
さて、上述の第一の特徴構成を備えたヒンジ構造にあって、前記第二端面カバーを前記揺動軸が挿通する構成とすることが好ましい。
この構成の場合、揺動軸の位置に対して、その端子側である前側に導電線が第二端面カバーを収納空間から導電線挿通空間へ跨ぐ部位を備えることとなり、容易且つ確実に導電線と揺動軸との干渉を避けながら、前後方向の短いヒンジ構造を実現できる。
【００１０】
さて、上記の構成において、前記第一部材が、前記揺動部に固定される第一固定部と、前記第一固定部の揺動軸軸方向の両端部から前記揺動軸方向に伸びる前記第一端面カバーとを備えて構成され、
前記第二部材が、前記揺動部に固定される第二固定部と前記第二端面カバーとを備えて構成され、
前記第二端面カバーの夫々に関し、第二固定部側部位と揺動軸側部位との間に、前記導電線が通る導電線挿通部を設ける構成が好ましい。
この構成では、第一部材、第二部材をともに揺動部に固定する構成を採用するとともに、第二端面カバーのそれぞれに、第二固定部側部位と揺動軸側部位とを設け、その間を導電線挿通部とすることで、収納空間から導電線挿通空間への導電線の導入を導電線挿通部を介して実現できる。
【００１１】
さらに具体的には、前記第二端面カバーの夫々を、前記第二固定部側に位置する固定部側端面カバーと、前記揺動軸が挿通される揺動軸側端面カバーとを備えて構成し、前記導電線挿通部を前記固定部側端面カバーと揺動軸側端面カバーとの間に設けることが好ましい。
【００１２】
この構成を実現するのに、前記第二固定部に接続して前記揺動軸側に伸びる第二接続部を設け、前記第二接続部の揺動軸軸方向の両端部から前記固定部側端面カバー及び揺動軸側端面カバーを設ける構成とすると、接続部により収納空間と、本体及び蓋体側の空間とを仕切ることが可能となり、端子、導電線が位置する空間を良好に独立化できる。
【００１３】
さらに、上記第一の特徴構成を備えたヒンジ構造において、
前記本体端面カバーに前記導電線を前記揺動軸の挿通位置より端子側の位置で位置保持する位置保持手段を設け、
当該位置保持手段が、前記導電線を、揺動軸軸方向で前記第一端面カバーと前記第二端面カバーとの間に位置保持することが好ましい。
この構成を採用する場合は、第一端面カバーと第二端面カバーとの間に進入して位置される揺動することがない本体端面カバー（この本体端面カバーは本体側に備えられるため揺動しない）を使用して、位置保持手段で導電線を位置保持するため、収納空間から導電線挿通空間への導電線の案内およびその位置保持を確実にできる。さらに、導電線は本来、その先端では、本体内の下側部位に導かれるが、電気器具の端子部位から一旦、揺動軸に対して、それに概ね平行な方向に導電線を方向付け、その後、実質的に本体内となる導電線挿通空間を介して本体下側に導電線を導くため、揺動軸との干渉のない適切な配線を実現できる。
【００１４】
以上説明してきたヒンジ構造を備えた加熱調理器とすることで、これまで説明している作用・効果を奏する加熱調理器が得られる。
【００１５】
また、前記本体側ヒンジ部に本体側ヒータを備え、前記揺動部側ヒンジ部に揺動側ヒータを備えた両面加熱式の構造を採用することで、両ヒータ間に加熱対象物を挟んで、良好に加熱調理を行える。
【発明を実施するための最良の形態】
【００１６】
以下、本願に係るヒンジ構造を加熱調理器としてのフィッシュロースターに採用した例について説明する。
〔第一実施形態〕
１  全体構造
図１ないし図１２は、当該フィッシュロースターの実施形態を示し、図１は正面図を、図２は平面図を、図３は側面図を、図４は斜め前上方向から見た全体斜視図を、図５は斜め前下方から見た全体斜視図を、図６は斜め後上方向から見た全体斜視図を、図７は斜め後下方から見た全体斜視図を、図８は図２のＶＩＩＩ−ＶＩＩＩ断面図を、図９は図１のＩＸ−ＩＸ断面図を、図１０は図１のＸ−Ｘ断面図を、図１１は図８のＸＩ−ＸＩ断面図を示す。図１２は、蓋体５を開いた状態のフィッシュロースターを示している。
図１３、図１４は本体１の正面図及び全体斜視図であり、図１５、１６は水受けトレー２の斜め前下方向から見た斜視図及び斜め後下方向から見た斜視図である。
【００１７】
フィッシュロースターは、本体１と、該本体１上に載置される水受けトレー２（第１トレーの一例）と、該水受けトレー２の上端部に取り付けられる焼き網３と、反射トレー４（第２トレーの一例）と、前記水受けトレー２の上面を開閉する蓋体５等から構成される。
本体１と蓋体５との間の揺動を実現するヒンジ構造は、図８に示すように、上記本体１が固定される本体側ヒンジ部７１と、上記蓋体５が固定される蓋体側ヒンジ部７２との間で採用される。
本願にあっては、構造を説明するのに、「前後方向（加熱調理器前後方向）」「左右方向（加熱調理器左右方向）」「上下方向（加熱調理器上下方向）」なる記載を用いるが、「前後方向」は図１に示す正面視で紙面表裏方向となるロースターの奥行き方向であり、「左右方向」は図１に示す正面視で左右方向となるロースターの幅方向であり、「上下方向」は図１に示す正面視で上下方向となるロースターの高さ方向である。
【００１８】
本体１
本体１は、図１３、図１４に示すように、水受けトレー２が載置される底板部１１、左右の支持部１２、１３と中央支持部１４等からなる。前記底板部１１は、金属製の方形の平板部材からなり、その左右端には、夫々、左側支持部１２及び右側支持部１３が一体に連結されている。左側支持部１２は、樹脂製の概略Ｌ字部材からなり、その左上端部に取手１２ａを備えるとともに、その右下部位に底板支持部１２ｂを備えている。右側支持部１３は、樹脂製の概略逆Ｌ字部材からなり、その右上端部に取手１３ａを備えるとともに、その左下部位に底板支持部１３ｂを備えている。そして該取手１３ａには、温度調節用つまみ１３ｃが配置される。この例では、左右の取手１２ａ，１３ａの形状として、異なる形状が採用されている。即ち、図示するように、左側の取手１２ａが前後方向に伸びる平板状の取手として形成されているのに対して、右側の取手１３ａは、右方向に円柱状に突出する温度調整用つまみ１３ｃを先端に備えた調整機能部１３ｄとの意匠的一体性を重視した涙滴状の取手１３ａとして構成されている。
中央支持部１４は、樹脂製の概略Ｌ字部材からなり、その後方部がヒンジ収納空間１４ａを形成しており、その前側底面に底板支持部１４ｂを備えている。
【００１９】
水受けトレー２
水受けトレー２は、図１５、図１６に示すように、有底箱型の上方開放状に形成されている。そして、前方側壁２ａは単純な断面円弧状の側壁面として構成されるとともに、その左右側壁２ｂ，２ｃにそれぞれ、一対の焼き網支持突起２ｄが内側に突出して形成されている。一方、後方側壁２ｅにはヒータ挿入孔Ｏｄが形成されている。
【００２０】
図１６からも判明するように、水受けトレー２の底面２ｆには前方凸部２１及び後方凸部２２が一定の高さに内側から外側に（下方向に）突出形成されている。これら凸部２１、２２に関しては、後に詳細に説明する。これら凸部２１、２２に対して、当該水受けトレー２における底面外周縁部には、後方を除いて、前方端縁部２ｇ及び左右端縁部２ｈ，２ｉに、前記凸部２１、２２より高さが等しいか高い下方に延出された下方突出縁部２３が形成されている。この下方突出縁部２３は、その形状が概略コの字状を成し、さらに、前記凸部２１，２２に高さが等しいかより高く形成されていることから、水受けトレー２を面上に置いた状態で、収納状態にある水面を上記面と平行に保つことができる。
【００２１】
この水受けトレー２は、本体１の底板部１１に載置して用いられるが、その載置に際して下ヒータＨｄ（加熱手段の一例で、本体側ヒータを成す）をヒータ挿入孔Ｏｄ（加熱手段挿入孔の一例）内に挿入する必要がある。この際、底板部１１上をその前方側より後方側に向かって滑らせながら押し込むことで、その挿入を完了できる。また、この水受けトレー２内には、所定量の水が入れられるとともに、その上面には、前記焼き網支持突起２ｄに支持される形態で焼き網３が配設される。
【００２２】
反射トレー４
反射トレー４は、図８に示すように、前記水受けトレー２に収納されて使用されるものであり、水受けトレー２と同様に、金属製の上方開放の箱型状からなっている。但し、その側壁高さは水受けトレー２と比較して十分に小さく設定されており、水受けトレー２内に水を入れた状態で、その水に浮く構造が採用されている。従って、この反射トレー４は、水受けトレー２とは別体の部材であり、常時、取り出し可能である。
【００２３】
蓋体５
蓋体５は、図８に示すように、金属製の下方開放の箱型状からなり、その後方側壁部には、上ヒータＨｕが挿入可能なヒータ挿入孔Ｏｕが、その前方側壁部には、透視窓５１が設けられている。さらに、頂部には排気処理部５２が設けられるとともに、その下に反射板５３が取り付けられている。又、左右の側部には取手５４が備えられている。
さらに、この蓋体５は、図６に示すように、ヒータ挿入孔Ｏｕ内に上ヒータＨｕを挿入後、蓋体５の蓋止め片５５を後述する蓋塞ぎ板Ｐｕの左右端近傍に設けられる係合孔５６に係合することにより、蓋塞ぎ板Ｐｕに一体的に固定され、水受けトレー２に対して略９０度開閉自在にされる。
【００２４】
２  ヒンジ構造
前記本体１と前記蓋体５との間における揺動軸７を介したヒンジ構造に関して以下に詳細に説明する。先にも説明したように、蓋体５は本体１に対して略９０度揺動可能に構成されている。
図８からも判明するように、本体１が本体側ヒンジ部７１に、蓋体５が蓋体側ヒンジ部７２にそれぞれ固定され、本体側ヒンジ部７１と蓋体側ヒンジ部７２とが揺動軸７を介して揺動自在とされている。そして、図１４からも判明するように、本体側ヒンジ部７１の前方面には、横長な金属製のトレー塞ぎ板Ｐｄが取り付けられるとともに、該トレー塞ぎ板Ｐｄには、前方へ前記底板部１１と平行に張り出し、平面視略Ｗ形の下ヒータＨｄが取り付けられる。
蓋体側ヒンジ部７２は、図８、図１２に示すように、本体側ヒンジ部７１に対して揺動軸７を介して略９０度揺動自在に接続されており、該蓋体側ヒンジ部７２（揺動部側ヒンジ部の一例）には、上ヒータＨｕ（電機器具の一例）を取り付けるための金属製の横長な蓋塞ぎ板Ｐｕが備えられている。
図１１に、上ヒータＨｕと導電線Ｌとの接続端子Ｃ及びこの接続端子Ｃに接続された導電線Ｌを示している。
【００２５】
蓋体側ヒンジ部７２
当該蓋体側ヒンジ部７２は、図１７に示すように、揺動軸軸方向の両端部に、前記揺動軸７を軸支する第一端面カバーＣ１を備えた第一部材７２ａと、同様に揺動軸軸方向の両端部に、前記揺動軸７が挿通する第二端面カバーＣ２を備え、前記第二端面カバーＣ２の位置が第一端面カバーＣ１の位置に対して、揺動軸軸方向で中央寄りに設定された第二部材７２ｂとで構成されている。そして、図１１に示すように、これら第二端面カバーＣ２間に形成される空間が上ヒータＨｕの接続端子Ｃが収納される収納空間Ａｃとされるとともに、前記第一端面カバーＣ１と前記第二端面カバーＣ２との間に形成される一対の空間が、夫々導電線Ｌが通る導電線挿通空間Ａｌとして構成されている。
【００２６】
従って、この構成においては、加熱調理器の後方向に位置する揺動軸７に向かって延出される上ヒータＨｕの接続端子Ｃに対して、揺動軸軸方向に沿った方向である左右方向に導電線Ｌを一端引き出し、第一端面カバーＣ１と第二端面カバーＣ２との間に形成される空間Ａｌに導き、その空間Ａｌ内を下方向に導電線Ｌが降下する構造が採用されている。
【００２７】
さらに詳細に説明すると、図１７、図１８に示すように、第一部材７２ａは、蓋体５に固定される第一固定部Ｆ１と、この第一固定部Ｆ１の揺動軸軸方向の両端部から揺動軸方向に伸びる前記第一端面カバーＣ１とを備えて構成され、第二部材７２ｂが、前記蓋体５に固定される第二固定部Ｆ２と第二接続部ＦＣと、これに設けられる前記第二端面カバーＣ２とを備えて構成されている。そして、前記第二端面カバーＣ２の夫々に関し、第二固定部側部位と揺動軸側部位との間に、導電線Ｌが通る導電線挿通部ＰＬが設けられている。
【００２８】
上記導電線挿通部ＰＬを形成するのに、前記第二固定部Ｆ２に接続して揺動軸側に伸びる第二接続部ＦＣを設け、この第二接続部ＦＣの揺動軸軸方向の両端部から固定部側端面カバーＣｆ及び揺動軸側端面カバーＣｓを折り曲げて形成している。従って、前記第二端面カバーＣ２の夫々は、第二固定部Ｆ２側に位置する固定部側端面カバーＣｆと、揺動軸７が挿通される揺動軸側端面カバーＣｓとで構成されており、導電線挿通部ＰＬは、これら固定部側端面カバーＣｆと揺動軸側端面カバーＣｓとの間に形成されるものとなっている。
【００２９】
さらに具体的には、この導電線挿通部ＰＬは、図１１、図１７からも明らかとなるように、揺動軸７に近接する側の端辺が直線状の直辺部ｓｐとこの部位に接続される四半円弧状の円弧部ｃｐと、揺動軸７から離間する側の端辺が直線状の直辺部ｓｐとに囲まれ、それら端辺が下端で接続した上方開放形の挿通部ＰＬとして形成されている。結果、この導電線挿通部ＰＬを通る導電線Ｌは、揺動軸側端面カバーＣｓにより確実に揺動軸７から分離される。また、第二端面カバーＣ２が揺動しても、この揺動による影響を受け難い。
【００３０】
本体側ヒンジ部７１
当該本体側ヒンジ部７１には、図１３、図１４に示すように、トレー塞ぎ板Ｐｄ及び下ヒータＨｄが取り付けられる本体側下ヒンジ部７１ａと、前記揺動軸７を揺動支持する本体側上ヒンジ部７１ｂとを備えて構成されている。
本体側下ヒンジ部７１ａと本体側上ヒンジ部７１ｂとは、一体の部材として金属製の板材から構成されており、図８に示すように中央支持部１４に位置決めされる。
本体側下ヒンジ部７１ａ及び本体側上ヒンジ部７１ｂは、概略共に後方開放形の箱型に形成されている。図１１に示すように、本体側上ヒンジ部７１ｂは、上記第一端面カバーＣ１と第二端面カバーＣ２との間に進入する平面視矩形の本体端面カバーＣｄを備えて構成されており、この本体端面カバーＣｄに前記揺動軸７が揺動自在に挿通される構造が採用されている。
【００３１】
従って、前記導電線挿通空間Ａｌは、第二端面カバーＣ２と本体端面カバーＣｄとの間に形成される空間として構成されており、導電線Ｌを確実に本体１内に導くことができる。
【００３２】
３  水受けトレーの押し込み位置決め構造
次に、水Ｗを入れた状態で前方より後方に向けて水受けトレー２を進入させる場合に、水面を概略底板部１１に対して平行を保つための構成に関して説明する。
このように、平行性を保つために、本願にあっては、図１３等に示すように底板部１１に６個の案内ガイド部５０、５１、５２が設けられ、図１５等に示すように水受けトレー２の底面２ｆに４個の凸部２１、２２が設けられている。
【００３３】
底板部１１上には、図１３、図１４に示すように、左右一対振り分け配置して形成される第一案内ガイド部５０、５０が設けられている。これら第一案内ガイド部５０、５０は、底板部１１と別体で作製してもよいが、通常はプレスにより底板部１１と一体成形される。その形状は、略方形で、その高さは、後述する前方案内ガイド部５１、後方案内ガイド部５２の頂点の高さと同一とされる。なお、一対の第一案内ガイド部５０、５０に関して、左右方向の開き幅を前方側より後方側の方を長くすることにより、後記の水受けトレー２の左右方向の位置合わせが容易になり、その着脱を滑らかにすることができる。この第一案内ガイド部５０、５０の高さも前方より後方を低くすることにより、水受けトレー２の装着を容易に行えるとともに、装着後に水受けトレー２が前方側にずれることがなくなる。なお、第一案内ガイド部５０、５０の左右側面部５０ｂ、５０ｂは略垂直面とされる。
【００３４】
この第一案内ガイド部５０を夫々挟む構成で、図１３からも判明するように、対となる前方案内ガイド部５１及び後方案内ガイド部５２が設けられている。前方案内ガイド部５１は、底板部１１の前端近傍部位に、一対の第一案内ガイド部５０、５０に対して、それらの内側（底板部１１の左右方向中心側）に設けられている。後方案内ガイド部５２は、底板部１１の後端近傍部位に、一対の第一案内ガイド部５０、５０に対して、それらの外側（底板部１１の左右方向中心側）に設けられている。また、この例では、前方案内ガイド部５１、後方案内ガイド部５２の両方は、第一案内ガイド部５０とともに一体に設ける。但し、該前方、後方案内ガイド部５１、５２は、第一案内ガイド部５０と別体であっても構わない。
【００３５】
さて、これら前方案内ガイド部５１及び後方案内ガイド部５２の形状は、略又同一であり、本例では、前後方向で断面三角形の楔状を呈している。即ち、前方側から後方側の頂部ｐに向かって高くなる傾斜した前方斜面ｓ１及び頂部ｐから順次低くなる傾斜した後方斜面ｓ２を有する断面三角形の楔状を呈している。ここで、前方傾斜面ｓ１は後方傾斜面ｓ２より緩く構成されている。そして、後記の水受けトレー２の底面に設ける凸部２１、２２の傾斜面ｓ１、ｓ２と当接し、水受けトレー２の移動を滑らかにする。
【００３６】
該水受けトレー２の底面２ｆには、内側から外側へ膨出した前方凸部２１及び後方凸部２２の２種類の凸部が形成されるとともに、これら凸部２１、２２は、全て同じものをそれぞれ２個ずつ配置した計４個の凸部からなる。
【００３７】
再度凸部２１，２２に戻って、前方凸部２１は、先に説明した前方案内ガイド部５１に対応して設けられる部位であり、後方凸部２２も、先に説明した後方案内ガイド部５２に対応して設けられる部位である。２つの前方凸部２１の外側側面部２１ｂ、２１ｂ間の左右方向の距離は、第一案内ガイド部５０の内側の左右方向の離間幅よりやや小さい程度の長さに設定せれている。一方、２つの後方凸部２２の内側側面部２２ｂ、２２ｂ間の左右方向の距離は、第一案内ガイド部５０の外側左右方向の離間幅の長さよりやや大きい程度の長さに設定される。
【００３８】
これら前方凸部２１及び後方凸部２２の形状は、略又同一であり、本例では、断面三角形の楔状を呈している。即ち、前方側から後方側の頂部ｐに向かって高くなる傾斜した前方斜面ｓ１及び頂部ｐから順次低くなる傾斜した後方斜面ｓ２を有する断面三角形の楔状を呈している。ここで、水受けトレー側に設けられる凸部２１、２２に関しては、前方傾斜ｓ１は後方傾斜ｓ２より急に構成されている。その角度及び長さは、凸部２１、２２の前方傾斜ｓ１が、案内ガイド部の後方傾斜ｓ２とそれぞれ同一に、凸部２１、２２の後方傾斜ｓ２が、案内ガイド部の前方傾斜ｓ１とそれぞれ同一に、構成されている。さらに、前後方向における前方凸部２１と後方凸部２２の距離は、前方案内ガイド部５１と後方案内ガイド部５２との距離と同一とされている。
従って、後に図２０等により説明するように、良好に平行移動を行える。そして、後記の水受けトレー２の底面２ｆに設ける凸部の傾斜面と当接し、水受けトレー２の移動を滑らかにする。
【００３９】
即ち、この構成では、図１４、図１５、図２０に示すように、案内ガイド部５１、５２を前方傾斜面ｓ１と後方傾斜面ｓ２とを備えて構成し、対応する凸部２１、２２に関しても前方傾斜面ｓ１と後方傾斜面ｓ２とを備えて構成するものとなっている。前記案内ガイド部５１の後方傾斜面ｓ２の角度を前方凸部２１の前方傾斜面ｓ１の角度（後方角度αｂと呼ぶ）が一致されているため、押し込み操作を完了した時点で、案内ガイド部５１、５２の後方傾斜面ｓ２が凸部２１、２２の前方傾斜面ｓ１に面で接触するため、完了姿勢を良好に保つことができる。
さらに、案内ガイド部５１、５２の前方傾斜面ｓ１の角度を凸部２１、２２の後方傾斜面ｓ２の角度（前方角度αｆと呼ぶ）が一致されているため、押し込み操作における上昇移動に際して、案内ガイド部５１、５２の前方傾斜面ｓ１が凸部２１、２２の後方傾斜面ｓ１、ｓ２に面で接触するため、姿勢の安定した摺動移動を行える。さらに、この構成において、後方角度αｂを前方角度αｆより大きく採ることで、押し込み完了時の第1トレーの位置保持機能を確保できる。
【００４０】
この実施例のものは、本体１の底板部１１上面に第一案内ガイド部５０を設けるとともに、水受けトレー２底面２ｆに前方及び後方凸部２１，２２をそれぞれ設けることを特徴とするものである。そして底板部１１上に水受けトレー２を載置するに際しては、以下の手順によって行う。
【００４１】
即ち、図１９に示すように、まず第一案内ガイド部５０の前方側に水受けトレー２を載せ、水受けトレー２の後方凸部２２の内側側面部２２ｂ、２２ｂ間に第一案内ガイド部５０の略垂直な左右外側面部５０ｂ、５０ｂが入るように位置合わせをする。
【００４２】
位置合わせ終了後に水受けトレー２を第一案内ガイド部５０上に載せたまま、水受けトレー２を押し込む。すると水受けトレー２の後方凸部２２の内側側面部２２ｂ、２２ｂ及び同じく水受けトレー２の前方凸部２１の外側側面部２１ｂ、２１ｂは、第一案内ガイド部５０の略垂直な左右側面部５０ｂ、５０ｂでガイドされ、左右方向へずれることなく真っ直ぐ後方に押し込むことができる。この場合、前方凸部２１がなくても行うことができるが、あった方が、左右方向のずれが少なくて良い。
【００４３】
水受けトレー２を押し込んでいくと、水受けトレー２の前方凸部２１が、第一案内ガイド部５０左右方向内側に張り出して設けられる前方案内ガイド部５１に、後方凸部２２が、第一案内ガイド部５０左右方向外側に張り出して設けられる後方案内ガイド部５２に当接する（図２０（ａ））。構わず水受けトレー２を押し込んでいくと、水受けトレー２の凸部２１、２２の後方傾斜面ｓ２が、案内ガイド部５１、５２の前方傾斜面ｓ１上に乗り上げて（図２０（ｂ））後方へ押し込まれる。そして、水受けトレー２の凸部２１、２２が、案内ガイド部５１、５２との両方から上下方向に案内されて移動し、これらを乗り越えるとともに、それぞれの案内ガイド部の後方に落ち込むことになる（図２０（ｃ））。落ち込んだ後は、水受けトレー２は、トレー塞ぎ板Ｐｄに当接し、それ以上の後方側の移動は阻止される。この場合、水受けトレー２の凸部２２の急な傾斜面である前方傾斜面ｓ１と案内ガイド部の急な傾斜面である後方傾斜面ｓ２とが当接し、ストッパーとしての機能を奏するため、その状態で、水受けトレー２を前方側に引いても水受けトレー２は移動しない。水受けトレー２を引き出すには、強く引くことで前方側へ引き出すことができる。
【００４４】
これまで説明してきた第一実施形態にあっては、第一案内ガイド部５０が、その左右方向に形成されている両側面５０ｂ、５０ｂにおいて、水受けトレー２の左右方向の位置決め機能を果たす。一方、前方案内ガイド部５１、後方案内ガイド部５２は、前方凸部２１、後方凸部２２と共働して、水受けトレー２の押し込み、若しくは引き出し操作において、水受けトレー２の姿勢を本体１の底板部１１に対して平行姿勢を保つ機能を果たす。図２１（ａ）は、本体側に設けられる第一案内ガイド部５０、前方案内ガイド部５１、後方案内ガイド部５２の平面図の横に前方案内ガイド５１、後方案内ガイド５２の断面図を、さらにその断面図に対応して水受けトレー２に設けられる前方凸部２１、後方凸部２２の関係を、模式的に示したものである。平面図には、前方凸部２１、後方凸部２２を一点鎖線で示している。
【００４５】
以下に示す別実施形態の説明では、上記の図２１（ａ）の表記方式に従って、別実施形態の構成を図示して説明する。移動は、後方への移動が図上、上方向への移動となるように表記している。
（イ）  押し込み操作完了時の位置固定機能を備えた構成
上述した第一実施形態では、左右方向の案内機能と上下方向の案内機能とを備えた構成に関して説明した。このような構成に対して、押し込みを完了した状態にあって、本体１と水受けトレー２の位置関係を保つ係合部８を備えて構成することも可能である。
このような例を図２１（ｂ）に示した。この例では、第一実施形態の構成（第一案内ガイド部５０、前方案内ガイド部５１、後方案内ガイド部５２と、前方凸部２１、後方凸部２２）に加えて、本体１に設けられる前方案内ガイド部５１の後方近傍部に半球状の位置決め用ガイド凸部８１が、水受けトレー２に設けられる前方凸部２１の後方近傍部に位置決め用凸部８２が設けられている。
この構造にあっては、水受けトレー２の押し込みに伴って、水受けトレー２が上下方向に平行姿勢を保ちながら移動するとともに、押し込みが完了すると、位置決め用ガイド凸部８１と位置決め用凸部８２が当接することで、その位置で水受けトレー２の位置を固定することができる。このような位置決め用ガイド凸部８１は、図示するように半球状にするほか、円錐状等任意の形状とすることができる。位置決め用凸部８２は、前記位置決め用ガイド凸部８１の形状に対応して適切な形状を選択できる。
（ロ）  第一案内ガイド部を前後方向で分離した構成とするとともに、前方凸部と後方凸部とを上下方向の前後一対の段部で構成
上記の第一実施形態では、第一案内ガイド部５０を前後方向に連続する単一のガイド部として構成したが、図２１（ｃ）に示すように、第一案内ガイド部５０を構成するに２部分に分割して構成しても良い。さらに、多くの部分に分かれていても良い。
さらに、この例では、水受けトレー２の底面２ｆに下側に突出形成された前方凸部２１、後方凸部２２との両方を、前後方向に対して垂直に突出された断面形状が方形の段部としている。この例にあっても、前後方向に一対のガイド部５１、５２及び凸部２１、２２との組み合わせにより、上下方向の平行移動を良好に行うことができる。
（ハ）  前方案内ガイド部及び後方案内ガイド部とが、第一案内ガイド部に対して左右方向において同一方向に形成され、さらに、前方案内ガイド部と後方案内ガイド部との左右方向幅が異なる構成
図２１（ｄ）に示すように、前方案内ガイド部５１及び後方案内ガイド部５２を第一案内ガイド部５０に対して左右方向で同一の方向位置に形成し、さらに両者の左右方向の幅を異ならせて構成してもよい。この場合、前後方向に重なる位置にある後方案内ガイド部５２の中央より右側に位置する部位は、存在しても問題ないが、本願における後方案内ガイド部との機能を発揮する部位ではない。
前方案内ガイド部と後方案内ガイド部との形状が異なる構成
（ニ）  これまで説明してきた例にあっては、前方案内ガイド部５１と後方案内ガイド部５２と前後方向において基本的に同一の形状に形成され、これらに対応する前方凸部２１、後方凸部２２に関しても、基本的に同一の形状に形成とされる例を示した。しかしながら、図２２（ａ）に示すように、異なった形状とすることも可能である。
この例にあっては、第一案内ガイド部５０、５２は第一実施形態のものと同一に形成されている。一方、前方案内ガイド部５１に関しては、同図に実線で示す断面に示すように、傾斜面を備えない段差部として形成している。これに対して、水受けトレー２側は、前方凸部２１及び後方凸部２２は傾斜面の組合せとして、構成されている。このように構成する場合も、本体１に設けられる前方案内ガイド部５１、後方案内ガイド部５２と、水受けトレー２に設けられる前方凸部２１、後方凸部２２との形成構成を調整することにより、本願の目的を達成できる。
【００４６】
さらに、図２２（ｂ）に示すように、底板部１１に設けられる前方及び後方案内ガイド部５１、５２に関しては、前後方向長さが異なる段差部としてこれらを夫々構成し、これら段差部の位置に対応した距離を備えて傾斜の同一な傾斜部を備えた前方凸部２１、後方凸部２２を備えてもよい。
【００４７】
これまで説明してきた実施形態にあっては、揺動部側ヒンジ部７２を成す第二部材７２ｂを比較的複雑な構造とし、この第二部材７２ｂを成す第二端面カバーＣ２に揺動軸７が挿通されるとともに、第二端面カバーＣ２に固定部側端面カバーＣｆと揺動軸側端面カバーＣｓとを設け、その間に導電線挿通部ＰＬを設けるものとした。そして、導電線Ｌと揺動軸７との分離を、第二部材７２ｂの構造によるものとしたが、本体端面カバーＣｄにより導電線Ｌを位置保持する（止め付ける）構造としてもよい。
この構造の例を、図２３、図２４に示した。図２３は、図１１に対応する図面であり、図２４は図１７に対応する図面である。
図２４から判明するように、この構成では、第二部材７２ｂに揺動軸側端面カバーＣｓは設けられていない。ただし、第二接続部ＦＣは断面円弧状の同様な形状とされている。従って、この構造にあっては第二部材７２ｂを揺動軸７が挿通していない。一方、先に説明した本端端面カバーＣｄに、導電線Ｌを揺動軸７の挿通位置より端子側（前側）の位置で位置保持する位置保持部Ｃｃ（位置保持手段を成す）が設けられている。この位置保持部Ｃｃは、本体端面カバーＣｄの一部として構成されているが、本体端面カバーＣｄの特定部位で、後方に突出形成された部位を、第二端面カバーＣ２側に曲げるとともに、先端を端子側（前側）に戻して形成したものである。
結果、この位置保持部Ｃｃにより、導電線Ｌを、揺動軸軸方向で第一端面カバーＣ１と第二端面カバーＣ２との間に位置保持している。このように構成することで、第一端面カバーＣ１と第二端面カバーＣ２との間に進入して位置される揺動することがない本体端面カバーＣｄを使用して、導電線Ｌを位置保持するため、収納空間Ａｃから導電線挿通空間Ａ１への導電線の案内およびその位置保持を確実に行うことができる。
【図面の簡単な説明】
【００４８】
【図１】フィッシュロースターの正面図
【図２】フィッシュロースターの平面図
【図３】フィッシュロースターの右側面図
【図４】フィッシュロースターを斜め前上方から見た全体斜視図
【図５】フィッシュロースターを斜め前下方から見た全体斜視図
【図６】フィッシュロースターを斜め後上方から見た全体斜視図
【図７】フィッシュロースターを斜め後下方から見た全体斜視図
【図８】図２のＶＩＩＩ−ＶＩＩＩ断面図
【図９】図１のＩＸ−ＩＸ断面図
【図１０】図１のＸ−Ｘ断面図
【図１１】図８のＸＩ−ＸＩ断面におけるヒンジ要部の断面図
【図１２】蓋を開放した状態のフィッシュロースターの全体斜視図
【図１３】本体の正面図
【図１４】本体の斜視図
【図１５】水受けトレーを斜め前下方から見た全体斜視図
【図１６】水受けトレーを斜め後下方から見た全体斜視図
【図１７】ヒンジ要部の分解斜視図
【図１８】ヒンジ要部の組付け状態を示す説明図
【図１９】案内ガイド部と凸部との関係を示すための正面視の要部断面図
【図２０】押し込み操作における案内ガイド部と凸部との関係を示すための側面視の要部断面図
【図２１】第一実施形態における案内ガイド部と凸部との関係及び別実施形態における案内ガイド部と凸部との関係を示す説明図
【図２２】更なる別実施形態における案内ガイド部と凸部との関係を示す説明図
【図２３】ヒンジ構造の別実施形態に関する図１１に対応するヒンジ要部の断面図
【図２４】ヒンジ構造の別実施形態に関する図１７に対応するヒンジ要部の断面図
【符号の説明】
【００４９】
１    本体
２    水受けトレー（第１トレー）
３    焼き網
４    反射トレー（第２トレー）
５    蓋体(揺動部)
７    揺動軸
２１  前方凸部
２２  後方凸部
５０  第一案内ガイド部
５１  前方案内ガイド部
５２  後方案内ガイド部
７１  本体側ヒンジ部
７２  蓋体側ヒンジ部（揺動部側ヒンジ部）
７２ａ第一部材
７２ｂ第二部材
Ａ１  導電線挿通空間
Ａｃ  収納空間
Ｃ    端子
Ｃ１  第一端面カバー
Ｃ２  第二端面カバー
Ｃｃ  位置保持部
Ｃｆ  固定部側端面カバー
Ｃｓ  揺動軸側端面カバー
Ｃｄ  本体端面カバー
Ｆ１  第一固定部
Ｆ２  第二固定部
ＦＣ  第二接続部
Ｈｕ  上ヒータ（電気器具・揺動側ヒータ）
Ｈｄ  下ヒータ（加熱手段・本体側ヒータ）
Ｌ    導電線
Ｏｕ  ヒータ挿入孔
Ｏｄ  ヒータ挿入孔（加熱手段挿入孔）
Ｐｕ  蓋塞ぎ板
Ｐｄ  トレー塞ぎ板
ＰＬ  導電線挿通部
【図１】
2008284104.tif 000003
【図２】
2008284104.tif 000004
【図３】
2008284104.tif 000005
【図４】
2008284104.tif 000006
【図５】
2008284104.tif 000007
【図６】
2008284104.tif 000008
【図７】
2008284104.tif 000009
【図８】
2008284104.tif 000010
【図９】
2008284104.tif 000011
【図１０】
2008284104.tif 000012
【図１１】
2008284104.tif 000013
【図１２】
2008284104.tif 000014
【図１３】
2008284104.tif 000015
【図１４】
2008284104.tif 000016
【図１５】
2008284104.tif 000017
【図１６】
2008284104.tif 000018
【図１７】
2008284104.tif 000019
【図１８】
2008284104.tif 000020
【図１９】
2008284104.tif 000021
【図２０】
2008284104.tif 000022
【図２１】
2008284104.tif 000023
【図２２】
2008284104.tif 000024
【図２３】
2008284104.tif 000025
【図２４】
2008284104.tif 000026